Podtech/llm-jp-corpus-v4-ja_patent huggingface dataset:
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
複数の処理ユニットを有する画像形成装置であって、
ブロック化された画像形成処理の対象となる対象データにおいて、属性毎のブロック数および属性毎の処理負荷パラメータおよび前記複数の処理ユニットの数に基づいて、属性毎に処理ユニットの数を決定し、前記複数の処理ユニットから前記決定された数の処理ユニットを属性毎に割り当てる手段と、
前記複数の処理ユニットそれぞれの持つローカルメモリに、各処理ユニットに割り当てた属性に応じた処理プログラムをロードするロード手段と、
前記対象データをブロックごとに、該ブロックの属性に対応して割り当てられた処理ユ
ニットにより、前記処理プログラムを実行して処理するよう制御する手段と、
を備えることを特徴とする画像形成装置。
【請求項２】
前記ロード手段は、前記属性に応じた処理プログラムに加えて、前記対象データを記述したページ記述言語の種類に応じた処理プログラムをロードすることを特徴とする請求項１に記載の画像形成装置。
【請求項３】
前記属性には、テキストとグラフィックとテキスト及びグラフィックの混合とが含まれることを特徴とする請求項１又は２に記載の画像形成装置。
【請求項４】
前記処理プログラムは、対象データをレンダリングするレンダラモジュールまたは対象データを画像処理する画像処理モジュール、またはレンダラモジュールと画像処理モジュールとを含むことを特徴とする請求項１乃至３のいずれか１項に記載の画像形成装置。
【請求項５】
さらに、前記処理ユニットにより処理されたブロックの処理済みデータを結合する手段と、
前記結合された前記処理済みデータに基づいて、印刷媒体に画像を形成する画像形成手段とを備えることを特徴とする請求項１乃至４のいずれか１項に記載の画像形成装置。
【請求項６】
複数の処理ユニットを有する画像形成装置の制御方法であって、
前記画像形成装置の重み付け手段が、ブロック化された画像形成処理の対象となる対象データにおいて、属性毎のブロック数および属性毎の処理負荷パラメータおよび前記複数の処理ユニットの数に基づいて、属性毎に処理ユニットの数を決定し、前記複数の処理ユニットから前記決定された数の処理ユニットを属性毎に割り当てる工程と、
前記画像形成装置のロード手段が、前記複数の処理ユニットそれぞれの持つローカルメモリに、各処理ユニットに割り当てた属性に応じた処理プログラムをロードするロード工程と、
前記画像形成装置の制御手段が、前記対象データをブロックごとに、該ブロックの属性に対応して割り当てられた処理ユニットにより、前記処理プログラムを実行して処理するよう制御する工程と、
を有することを特徴とする画像形成装置の制御方法。
【請求項７】
請求項１乃至５のいずれか一項に記載の画像形成装置の各手段としてコンピュータを機能させるためのプログラム。
【手続補正２】
【補正対象書類名】明細書
【補正対象項目名】０００９
【補正方法】変更
【補正の内容】
【０００９】
複数の処理ユニットを有する画像形成装置であって、
ブロック化された画像形成処理の対象となる対象データにおいて、属性毎のブロック数および属性毎の処理負荷パラメータおよび前記複数の処理ユニットの数に基づいて、属性毎に処理ユニットの数を決定し、前記複数の処理ユニットから前記決定された数の処理ユニットを属性毎に割り当てる手段と、
前記複数の処理ユニットそれぞれの持つローカルメモリに、各処理ユニットに割り当てた属性に応じた処理プログラムをロードするロード手段と、
前記対象データをブロックごとに、該ブロックの属性に対応して割り当てられた処理ユ
ニットにより、前記処理プログラムを実行して処理するよう制御する手段と、
を備える。
【手続補正書】
【提出日】平成23年12月21日(2011.12.21)
【手続補正１】
【補正対象書類名】明細書
【補正対象項目名】００１０
【補正方法】変更
【補正の内容】
【００１０】
【特許文献１】ＰＣＴ出願国際公開第ＷＯ２００４／０９６０７７号
【特許文献２】特開２００３−３８５２５号公報
【特許文献３】特表２００１−５０６５２５号公報
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
インクを吐出する記録ヘッドと、該記録ヘッドを搭載して移動するキャリッジと、前記記録ヘッドへ供給されるインクを貯留するインクタンクと、前記インクタンクから前記記録ヘッドへインクを供給するための第１の経路と、前記記録ヘッドから前記インクタンクへインクを回収するための第２の経路と、を備えるインクジェット記録装置において、
前記第１の経路及び前記第２の経路が前記記録ヘッドと接続される第１の状態と、前記第１の経路は前記記録ヘッドと接続され前記第２の経路は前記記録ヘッドと接続されない第２の状態と、を切り替える切替手段を備えることを特徴とするインクジェット記録装置。
【請求項２】
前記切替手段は、前記記録ヘッドと前記インクタンクとの間でインクを循環するときに前記第１の状態に切り替えることを特徴とする請求項１に記載のインクジェット記録装置。
【請求項３】
前記切替手段は、前記記録ヘッドにより記録動作を行うときに前記第２の状態に切り替えることを特徴とする請求項２に記載のインクジェット記録装置。
【請求項４】
前記記録ヘッドは、インクを吐出する吐出口、該吐出口へ供給されるインクを貯留する共通液室を有し、前記第２の経路は前記共通液室と接続、離間されることを特徴とする請求項１ないし３のいずれか１項に記載のインクジェット記録装置。
【請求項５】
前記記録ヘッドは、インクを吐出する吐出口、該吐出口へ供給されるインクを貯留する共通液室、前記吐出口に対する負圧を発生する負圧室を有し、前記第２の経路は前記負圧室と接続、離間されることを特徴とする請求項１ないし３のいずれか１項に記載のインクジェット記録装置。
【請求項６】
前記記録ヘッドは、インクを吐出する吐出口、該吐出口へ供給されるインクを貯留する共通液室、前記吐出口に対する負圧を発生する負圧室、前記第１の経路と前記負圧室の間に設けられたバッファ室を有し、前記第２の経路は前記バッファ室と接続、離間されることを特徴とする請求項１ないし３のいずれか１項に記載のインクジェット記録装置。
【手続補正２】
【補正対象書類名】明細書
【補正対象項目名】００１２
【補正方法】変更
【補正の内容】
【００１２】
本発明は、上記目的を達成するため、インクを吐出する記録ヘッドと、該記録ヘッドを搭載して移動するキャリッジと、前記記録ヘッドへ供給されるインクを貯留するインクタンクと、前記インクタンクから前記記録ヘッドへインクを供給するための第１の経路と、前記記録ヘッドから前記インクタンクへインクを回収するための第２の経路と、を備えるインクジェット記録装置において、前記第１の経路及び前記第２の経路が前記記録ヘッドと接続される第１の状態と、前記第１の経路は前記記録ヘッドと接続され前記第２の経路は前記記録ヘッドと接続されない第２の状態と、を切り替える切替手段を備えることを特徴とする。
【手続補正３】
【補正対象書類名】明細書
【補正対象項目名】００１４
【補正方法】変更
【補正の内容】
【００１４】
【図１】本発明の実施形態におけるインクジェット記録装置の模式図である。
【図２】メインタンクの構成を示す図である。
【図３】回路構成図である。
【図４】サブタンクの構成を示す図である。
【図５】第１の実施形態で用いるインク還流路を示す図である。
【図６】第２の実施形態で用いるインク還流路を示す図である。
【図７】第３の実施形態で用いるインク還流路を示す図である。
【図８】第４の実施形態で用いるインク還流路を示す図である。
【図９】第５の実施形態で用いるインク還流路を示す図である。
【手続補正４】
【補正対象書類名】明細書
【補正対象項目名】００３１
【補正方法】変更
【補正の内容】
【００３１】
図３に本実施形態の回路構成図を示す。図３において、５００は記録装置の制御を司り各種の制御指令を出すＣＰＵ、５０１は制御プログラム、制御データなどが書き込まれたＲＯＭ、５０２は記録データ等を展開する領域となるＲＡＭである。
【手続補正５】
【補正対象書類名】明細書
【補正対象項目名】００３３
【補正方法】変更
【補正の内容】
【００３３】
サブタンク６０１は負圧室６０１Ａとチョーク弁６０１Ｂを備えている。１０１はサブタンク６０１の負圧室６０１Ａから供給されるインクを吐出する吐出口を有する記録ノズルを複数備えたチップである。
【手続補正６】
【補正対象書類名】明細書
【補正対象項目名】００６０
【補正方法】変更
【補正の内容】
【００６０】
（第３の実施形態）
図７（ａ）、（ｂ）に泡バッファ室４０６に気液分離膜４０８を具備しない第３の実施形態の還流チューブの接合状態・関係を模式断面図で示す。基本的な構成は第１の実施形態と同等である。本実施例の場合、蒸発・沈降インクは循環によりその度合いは減じられ再度使用する事が可能であるが、気泡については、吸引ポンプ２５によりキャップ２６を減圧し、泡バッファ内からインク吐出ノズルを介して外部に排出する必要がある。第１の実施形態に対して廃インク排出を抑制する観点からはその効果は減少してしまうが、気液分離膜の耐久性や耐薬品性を考慮する必要がなく、インク選択の自由度が高くなる効果がある。
【手続補正７】
【補正対象書類名】明細書
【補正対象項目名】００６１
【補正方法】変更
【補正の内容】
【００６１】
（第４の実施形態）
図８（ａ）、（ｂ）に第４の実施形態で用いる還流チューブの接合状態・関係を模式断面図で示す。ここでは、各色の記録ヘッドと還流路チューブの関係は同様であるので、シアンで代表して説明する。
【手続補正８】
【補正対象書類名】明細書
【補正対象項目名】００６２
【補正方法】変更
【補正の内容】
【００６２】
インク還流チューブ３２２は還流接続部７０３とインク供給チューブ３１８に設けられた供給接続部７０１によって嵌合される。インク供給チューブ３１８はサブタンク６０１へ固定されている。供給チューブが具備する供給接続部７０１は供給チューブとサブタンクの間の固定用のプレートなどに設けられても良い。また、図中に不図示であるが、インク供給チューブとサブタンクの間に泡バッファ室を具備する図８（ａ）、（ｂ）の構成でも本実施例の特徴は損なわれない。
【手続補正９】
【補正対象書類名】明細書
【補正対象項目名】００６３
【補正方法】変更
【補正の内容】
【００６３】
（第５の実施形態）
図９（ａ）、（ｂ）に第５の実施形態で用いる還流チューブの接合状態・関係を模式断面図で示す。ここでは、各色の記録ヘッドと還流路チューブの関係は同様であるので、シアンで代表して説明する。
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
インクを吐出する記録ヘッドと、前記記録ヘッドに供給するインクを貯留するサブタンクと、を備える記録装置に装着可能なインクタンクにおいて、
前記記録装置に装着したときに装置本体と接続されインクを供給可能なインク供給接続口と、
前記サブタンクに供給するインクを貯留する第１のインク貯留部と、
前記第１のインク貯留部に貯留されたインクを前記インク供給接続口に供給するための第１のインク導出経路と、
前記サブタンクから戻したインクを貯留可能な第２のインク貯留部と、
前記第２のインク貯留部に貯留されたインクを前記インク供給接続口に供給するための第２のインク導出経路と、
を備え、前記第１のインク導出経路に、前記第１のインク貯留部から前記インク供給接続口へのインクの移動は許容するが前記インク供給接続口から前記第１のインク貯留部へのインクの移動は許容しない一方向弁を設けることを特徴とするインクタンク。
【請求項２】
前記第２のインク導出経路は、前記第１のインク導出経路に前記一方向弁と前記インク供給接続口との間で合流することを特徴とする請求項１に記載のインクタンク。
【請求項３】
前記第１のインク貯留部は、可撓性を有する材料で形成されることを特徴とする請求項１または２に記載のインクタンク。
【請求項４】
前記第２のインク貯留部は、可撓性を有する材料で形成されることを特徴とする請求項１ないし３のいずれか１項に記載のインクタンク。
【請求項５】
加圧ポンプが接続可能な圧力供給接続口を備え、該圧力供給接続口よりインクタンク内が加圧されることにより前記第１のインク貯留部に貯留されるインクが前記装置本体に供給されることを特徴とする請求項１ないし４のいずれか１項に記載のインクタンク。
【請求項６】
前記第２のインク導出経路の流抵抗は、前記第１のインク導出経路の前記第１のインク貯留部から前記第２のインク導出経路が合流する部位までの流抵抗に前記一方向弁の流抵抗を加えたものよりも小さいことを特徴とする請求項１ないし５のいずれか１項に記載のインクタンク。
【請求項７】
インクを吐出する記録ヘッドと、前記記録ヘッドに供給するインクを貯留するサブタンクと、装置本体に装着可能なインクタンクと、を備える記録装置において、
前記インクタンクは、前記装置本体に装着したときに該装置本体と接続されインクを供給可能なインク供給接続口と、前記サブタンクに供給するインクを貯留する第１のインク貯留部と、前記第１のインク貯留部に貯留されたインクを前記インク供給接続口に供給するための第１のインク導出経路と、前記サブタンクから戻したインクを貯留可能な第２のインク貯留部と、前記第２のインク貯留部に貯留されたインクを前記インク供給接続口に供給するための第２のインク導出経路と、を備え、前記第１のインク導出経路に、前記第１のインク貯留部から前記インク供給接続口へのインクの移動は許容するが前記インク供給接続口から前記第１のインク貯留部へのインクの移動は許容しない一方向弁を設け、前記第２のインク導出経路は前記第１のインク導出経路に前記一方向弁と前記インク供給接続口との間で合流することを特徴とする記録装置。
【請求項８】
前記サブタンク内の圧力を変化させるための加減圧ポンプを備え、前記加減圧ポンプを駆動して前記サブタンク内を加圧することによる前記サブタンクに貯留されたインクを前記インクタンクに戻すことを特徴とする請求項７に記載の記録装置。
【請求項９】
前記加減圧ポンプを駆動して前記サブタンク内を減圧することにより前記インクタンクに戻したインクを再度前記サブタンクに供給することを特徴とする請求項８に記載の記録装置。
【請求項１０】
前記第１のインク貯留部は、可撓性を有する材料で形成されることを特徴とする請求項７ないし９のいずれか１項に記載の記録装置。
【請求項１１】
前記第２のインク貯留部は、可撓性を有する材料で形成されることを特徴とする請求項７ないし１０のいずれか１項に記載の記録装置。
【請求項１２】
前記インクタンクは加圧ポンプが接続可能な圧力供給接続口を備え、該圧力供給接続口より前記インクタンク内が加圧されることにより前記第１のインク貯留部に貯留されるインクが前記装置本体に供給されることを特徴とする請求項７ないし１１のいずれか１項に記載の記録装置。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
液体を収納する液体収納容器と、該液体収納容器内の液体を吐出する複数の吐出口からなる吐出口列が形成された吐出口面と、前記液体収納容器と前記吐出口とを連通させる流路と、を有する液体吐出ヘッドカートリッジの液体充填方法であって、
前記吐出口面の前記吐出口列に沿って吸引部材を移動させながら第１の吸引圧力で吸引動作を行い、前記吐出口面をワイピングする第１の工程と、
前記第１の工程の後に、前記吐出口面の前記吐出口列に沿って前記吸引部材を移動させながら、前記第１の吸引圧力より低い第２の吸引圧力で吸引動作を行い、前記吐出口面をワイピングする第２の工程と、
を有することを特徴とする液体吐出ヘッドカートリッジの液体充填方法。
【請求項２】
前記吸引部材は、前記第１の工程において前記吐出口面の前記吐出口列に沿って第１の移動速度で移動させられ、前記第２の工程において前記吐出口面の前記吐出口列に沿って第２の移動速度で移動させられることを特徴とする請求項１に記載の液体吐出ヘッドカートリッジの液体充填方法。
【請求項３】
前記吸引部材は、前記第１の工程においては前記液体収納容器内の液体を前記吐出口まで吸引し、前記第２の工程においては前記流路内の気泡を除去するように吸引することを特徴とする請求項１または２のいずれかに記載の液体吐出ヘッドカートリッジの液体充填方法。
【請求項４】
前記第１の吸引圧力は前記第２の吸引圧力に対して、１．５倍以上２．８倍以下の値であることを特徴とする請求項１〜３のいずれかに記載の液体吐出ヘッドカートリッジの液体充填方法。
【請求項５】
前記第１の移動速度は前記第２の移動速度に対して、２倍以上４．５倍以下の値であることを特徴とする請求項２〜４のいずれかに記載の液体吐出ヘッドカートリッジの液体充填方法。
【請求項６】
前記第１の工程における前記吸引部材が移動する方向は、前記吐出口列に沿った往路であり、前記第２の工程における前記吸引部材が移動する方向は、前記吐出口列に沿った復路であることを特徴とする請求項１〜５のいずれかに記載の液体吐出ヘッドカートリッジの液体充填方法。
【請求項７】
前記第１の吸引工程に使用される前記吸引部材の断面積が、前記第２の吸引工程に使用される前記吸引部材の断面積よりも大きいことを特徴とする請求項１〜６のいずれかに記載の液体吐出ヘッドカートリッジの液体充填方法。
【請求項８】
液体を収納する液体収納容器と、該液体収納容器内の液体を吐出する複数の吐出口からなる吐出口列が形成された吐出口面と、前記液体収納容器と前記吐出口とを連通させる流路と、を有する液体吐出ヘッドカートリッジを用意する工程と、
前記吐出口面の前記吐出口列に沿って吸引部材を移動させながら第１の吸引圧力で吸引動作を行い、前記吐出口面をワイピングする第１の工程と、
前記第１の工程の後に、前記吐出口面の前記吐出口列に沿って吸引部材を移動させながら、前記第１の吸引圧力より低い第２の吸引圧力で吸引動作を行い、前記吐出口面をワイピングする第２の工程と、
を有することを特徴とする液体吐出ヘッドカートリッジの製造方法。
【請求項９】
前記吸引部材は、前記第１の工程において前記吐出口面の前記吐出口列に沿って第１の移動速度で移動させられて、前記第２の工程において前記吐出口面の前記吐出口列に沿って第２の移動速度で移動させられることを特徴とする請求項８に記載の液体吐出ヘッドカートリッジの製造方法。
【請求項１０】
請求項９に記載の液体吐出ヘッドカートリッジの製造方法を実施するための液体吐出ヘッドカートリッジの製造装置において、
前記吐出口面に当接し液体を吸引する吸引部材と、
前記液体収納容器内の液体を吸引する吸引圧力を発生する手段と、
前記吸引圧力を可変させる手段と、
前記吸引部材を前記吐出口列に沿って移動させる手段と、
前記移動速度を可変させる手段と、
を有する事を特徴とする液体吐出ヘッドカートリッジの製造装置。
【手続補正２】
【補正対象書類名】明細書
【補正対象項目名】０００８
【補正方法】変更
【補正の内容】
【０００８】
上述した目的を達成するために、本発明の液体吐出ヘッドカートリッジの液体充填方法は、液体を収納する液体収納容器と、該液体収納容器内の液体を吐出する複数の吐出口からなる吐出口列が形成された吐出口面と、前記液体収納容器と前記吐出口とを連通させる流路と、を有する液体吐出ヘッドカートリッジの液体充填方法であって、前記吐出口面の前記吐出口列に沿って吸引部材を移動させながら第１の吸引圧力で吸引動作を行い、前記吐出口面をワイピングする第１の工程と、前記第１の工程の後に、前記吐出口面の前記吐出口列に沿って前記吸引部材を移動させながら、前記第１の吸引圧力より低い第２の吸引圧力で吸引動作を行い、前記吐出口面をワイピングする第２の工程と、を有する。
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
液体を吐出するために利用されるエネルギーを発生する素子と、
該素子に接する様に設けられた第１の電極層と、
該第１の電極層と前記素子とを覆う様に設けられた絶縁層と、
該絶縁層を貫通して前記第１の電極層と接する部分と、該部分とは前記絶縁層の厚さの方向に垂直な方向に関して位置が異なる他の部分であって前記絶縁層と接しない前記他の部分と、を有する第２の電極層と、を有する液体吐出ヘッド用基板であって、
前記他の部分と前記絶縁層との間には、空間が設けられていることを特徴とする液体吐出ヘッド用基板。
【請求項２】
液体を吐出するために利用されるエネルギーを発生する素子と、
該素子に接する様に設けられた第１の電極層と、
該第１の電極層と前記素子とを覆う様に設けられた絶縁層と、
該絶縁層を貫通して前記第１の電極層と接する部分と、該部分とは前記絶縁層の厚さの方向に垂直な方向に関して位置が異なる他の部分であって前記絶縁層と接しない前記他の部分と、を有する第２の電極層と、を有する液体吐出ヘッド用基板であって、
前記他の部分と前記絶縁層との間には、樹脂が設けられていることを特徴とする液体吐出ヘッド用基板。
【請求項３】
前記第２の電極層は、金で形成されていることを特徴とする請求項１又は請求項２に記載の液体吐出ヘッド用基板。
【請求項４】
請求項１乃至請求項３のいずれかに記載の液体吐出ヘッド用基板と、
液体が吐出される吐出口に通じる流路の壁を有し、該壁を内側にして前記液体吐出ヘッド用基板と接することで前記流路を形成する流路部材と、を有することを特徴とする液体吐出ヘッド。
【請求項５】
前記液体吐出ヘッド用基板と前記流路部材との間には、樹脂からなる層が設けられていることを特徴とする請求項４に記載の液体吐出ヘッド。
【請求項６】
請求項２に記載の液体吐出ヘッド用基板と、
液体が吐出される吐出口に通じる流路の壁を有し、該壁を内側にして前記液体吐出ヘッド用基板と接することで前記流路を形成する流路部材と、
前記液体吐出ヘッド用基板と前記流路部材との間に設けられた樹脂からなる層と、
を有する液体吐出ヘッドであって、
前記他の部分と前記絶縁層との間に設けられた前記樹脂と、前記樹脂からなる層とは、同じ組成の材料からなることを特徴とする液体吐出ヘッド。
【請求項７】
液体を吐出するために利用されるエネルギーを発生する素子を備える液体吐出ヘッド用基板の製造方法であって、
前記素子と、前記素子に接する様に設けられた第１の電極層と、該第１の電極層と前記素子とを覆う様に設けられた絶縁層と、を備える基板を用意する工程と、
前記絶縁層の一部の上に、マスク材を設ける工程と、
前記絶縁層の、前記一部とは前記絶縁層の厚さの方向に垂直な方向に関して位置が異なる他の部分に貫通孔を設け、該貫通孔によって前記第１の電極層が露出された部分の上と、
前記マスク材の上と、に第２の電極層を設ける工程と、
前記マスク材を除去して、前記第２の電極層の一部と前記絶縁層との間に、空間を設ける工程と、
を有することを特徴とする液体吐出ヘッド用基板の製造方法。
【請求項８】
前記空間に樹脂を設ける工程をさらに有することを特徴とする請求項７に記載の液体吐出ヘッド用基板の製造方法。
【請求項９】
液体を吐出するために利用されるエネルギーを発生する素子を備える液体吐出ヘッド用基板の製造方法であって、
前記素子と、該素子に接する様に設けられた第１の電極層と、該第１の電極層と前記素子とを覆う様に設けられた絶縁層と、を備える基板を用意する工程と、
前記絶縁層の一部の上に、樹脂からなるマスク材を設ける工程と、
前記絶縁層の、前記一部とは前記絶縁層の厚さの方向に垂直な方向に関して位置が異なる他の部分に貫通孔を設け、該貫通孔によって前記第１の電極層が露出された部分の上と、前記マスク材の上と、に第２の電極層を設ける工程と、
を有することを特徴とする液体吐出ヘッド用基板の製造方法。
【請求項１０】
前記第２の電極層を設ける工程において、前記第２の電極層を、金を用いてめっき法により形成することを特徴とする請求項７乃至請求項９のいずれかに記載の液体吐出ヘッド用基板の製造方法。
【請求項１１】
請求項７乃至請求項１０のいずれかに記載の液体吐出ヘッド用基板の製造方法で液体吐出ヘッド用基板を用意する工程と、
前記液体吐出ヘッド用基板と、液体が吐出される吐出口に通じる流路の壁を有し、前記壁を内側として前記液体吐出ヘッド用基板と接する流路部材とで前記流路を形成する工程と、
を有することを特徴とする液体吐出ヘッドの製造方法。
【請求項１２】
請求項８に記載の液体吐出ヘッド用基板の製造方法で液体吐出ヘッド用基板を用意する工程と、
前記液体吐出ヘッド用基板と、液体が吐出される吐出口に通じる流路の壁を有し、前記壁を内側とし、前記空間に設けられた樹脂と同じ組成の材料からなる樹脂を介して前記液体吐出ヘッド用基板と接する流路部材とで、前記流路を形成する工程と、
を有することを特徴とする液体吐出ヘッドの製造方法。
【手続補正２】
【補正対象書類名】明細書
【補正対象項目名】００１６
【補正方法】変更
【補正の内容】
【００１６】
本発明の液体吐出ヘッド用基板は、液体を吐出するために利用されるエネルギーを発生する素子と、該素子に接する様に設けられた第１の電極層と、該第１の電極層と前記素子とを覆う様に設けられた絶縁層と、該絶縁層を貫通して前記第１の電極層と接する部分と、該部分とは前記絶縁層の厚さの方向に垂直な方向に関して位置が異なる他の部分であって前記絶縁層と接しない前記他の部分と、を有する第２の電極層と、を有し、前記他の部分と前記絶縁層との間には、空間が設けられていることを特徴とする。
【手続補正３】
【補正対象書類名】明細書
【補正対象項目名】００１７
【補正方法】変更
【補正の内容】
【００１７】
さらに、本発明の液体吐出ヘッド用基板は、さらに液体を吐出するために利用されるエネルギーを発生する素子と、該素子に接する様に設けられた第１の電極層と、該第１の電極層と前記素子とを覆う様に設けられた絶縁層と、該絶縁層を貫通して前記第１の電極層と接する部分と、該部分とは前記絶縁層の厚さの方向に垂直な方向に関して位置が異なる他の部分であって前記絶縁層と接しない前記他の部分と、を有する第２の電極層と、を有し、前記他の部分と前記絶縁層との間には、樹脂が設けられていることを特徴とする。
【手続補正書】
【提出日】平成23年12月26日(2011.12.26)
【手続補正１】
【補正対象書類名】特許請求の範囲
【補正対象項目名】請求項２
【補正方法】変更
【補正の内容】
【請求項２】
供給された穀粒から整粒を取り出すために粒径選別する粒大選別部と、該粒大選別部により選別された整粒を受けて着色粒又は異物などの不良粒を光学的に選別・除去する光学選別部とを備えた穀物選別機であって、
前記粒大選別部と前記光学選別部との接続部には、前記粒大選別部により選別された整粒を一時貯留する貯留タンクと、該貯留タンク内の貯留量を検知する下限量検出器及び上限量検出器と、前記貯留タンクから排出される整粒を受けて前記光学選別部に供給する振動フィーダとを設けるとともに、前記下限量検出器及び上限量検出器の検知信号により前記貯留タンクに貯留される整粒の単位時間当たりの流量を算出するとともに、前記光学選別部のエジェクタバルブの単位時間当たりの開作動回数によってシュートからの落下流量を算出し、これらの流量を比較して前記前記振動フィーダの搬送量の増減を制御する制御手段を設けたことを特徴とする穀物選別機。
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
ジグザグ形状に折り加工した濾材の端部を接合して中空円筒状に形成して筒状プリーツ濾材とした後、前記筒状プリーツ濾材の両端面にリング状のエンドシートを取り付けるフィルタエレメントの製造方法において、
前記筒状プリーツ濾材の外周側に配置する外側治具と前記筒状プリーツ濾材の内周側に配置する内側治具との間に前記筒状プリーツ濾材を挟み込み、この状態で前記筒状プリーツ濾材の両端面に前記エンドシートを接着剤を介して接合することを特徴とするフィルタエレメントの製造方法。
【請求項２】
内側治具が変形可能に設けられており、筒状プリーツ濾材の両端面にエンドシートを接着剤を介して接合した後に、前記内側治具を変形させて前記筒状プリーツ濾材の内側から前記内側治具を取り外すことを特徴とする請求項１記載のフィルタエレメントの製造方法。
【請求項３】
外側治具及び内側治具が変形可能に設けられており、筒状プリーツ濾材の両端面にエンドシートを接着剤を介して接合した後に、前記外側治具及び内側治具を変形させて前記筒状プリーツ濾材の内側と外側とから前記外側治具及び内側治具を取り外すことを特徴とする請求項１に記載のフィルタエレメントの製造方法。
【請求項４】
エンドシートの内側が筒状プリーツ濾材の端面における最内側点よりも内側に位置すると共にエンドシートの外側が、筒状プリーツ濾材の端面における最外側点よりも外側に位置することを特徴とする請求項３に記載のフィルタエレメントの製造方法。
【請求項５】
筒状プリーツ濾材及びエンドシートが不織布から構成されていることを特徴とする請求項１−４のいずれかに記載のフィルタエレメントの製造方法。
【請求項６】
ジグザグ形状に折り加工した濾材の端部を接合して中空円筒状に形成して筒状プリーツ濾材とした後、前記筒状プリーツ濾材の両端面にリング状のエンドシートを取り付けたフィルタエレメントの製造に使用する治具であって、
前記筒状プリーツ濾材の外周側に配置する変形可能な外側治具と前記筒状プリーツ濾材の内周側に配置する変形可能な内側治具とからなり、
前記外側治具と内側治具との間に前記筒状プリーツ濾材を挟み込んで該筒状プリーツ濾材の形状を保持し、この状態で前記筒状プリーツ濾材の両端面にエンドシートを接着剤を介して接合した後、前記外側治具及び内側治具を変形させることにより前記筒状プリーツ濾材の内側と外側とから前記外側治具及び内側治具を取り外すことができるようにしたことを特徴とするフィルタエレメントの製造用治具。
【手続補正２】
【補正対象書類名】明細書
【補正対象項目名】００１４
【補正方法】変更
【補正の内容】
【００１４】
上記目的を達成するため、請求項１〜５記載の発明は、ジグザグ形状に折り加工した濾材の端部を接合して中空円筒状に形成して筒状プリーツ濾材とした後、前記筒状プリーツ濾材の両端面にリング状のエンドシートを取り付けるフィルタエレメントの製造方法において、
前記筒状プリーツ濾材の外周側に配置する外側治具と前記筒状プリーツ濾材の内周側に配置する内側治具との間に前記筒状プリーツ濾材を挟み込み、この状態で前記筒状プリーツ濾材の両端面に前記エンドシートを接着剤を介して接合することを特徴とするフィルタエレメントの製造方法をその要旨とした。
【手続補正３】
【補正対象書類名】明細書
【補正対象項目名】００１５
【補正方法】変更
【補正の内容】
【００１５】
また、請求項６記載の発明は、ジグザグ形状に折り加工した濾材の端部を接合して中空円筒状に形成して筒状プリーツ濾材とした後、前記筒状プリーツ濾材の両端面にリング状のエンドシートを取り付けるフィルタエレメントの製造に使用する治具であって
前記筒状プリーツ濾材の外周側に配置する変形可能な外側治具と前記筒状プリーツ濾材の内周側に配置する変形可能な内側治具とからなり
前記外側治具と内側治具との間に前記筒状プリーツ濾材を挟み込んで該筒状プリーツ濾材の形状を固定し、この状態で前記筒状プリーツ濾材の両端面にエンドシートを接着剤を介して接合した後、前記外側治具及び内側治具を変形させることにより前記筒状プリーツ濾材の内側と外側とから前記外側治具及び内側治具を取り外すことができるようにしたことを特徴とするフィルタエレメントの製造用治具をその要旨とした。
【手続補正書】
【提出日】平成23年12月19日(2011.12.19)
【手続補正１】
【補正対象書類名】明細書
【補正対象項目名】００４６
【補正方法】変更
【補正の内容】
【００４６】
次に、本発明にかかる精米機１０の第２実施形態について説明する。本実施形態において、第１実施形態と同じ構成要素には同じ符号を付して説明を省略する。図８に、本実施形態における止め金具（先端部材）６４及び抵抗円板６５を示す。止め金具６４の外径は主軸１６の外径と同じである。止め金具６４の先端部中央には、端面の中心と同心に基端６７が半円状の傾斜部材６８が互いに反対方向に傾斜する傾斜面６９を有するように２つ合わさった突起部７０が設けられている。エアーシリンダ５３の先端が当接した押さえ部材６３の先端は、中央部分には孔６６が設けられた抵抗円板６５と孔６６のない部分で取り付けできる形状で連結されている。孔６６の半径は、突起部７０の基端６７の外周円の半径より少しだけ大きい。
【手続補正２】
【補正対象書類名】明細書
【補正対象項目名】００４７
【補正方法】変更
【補正の内容】
【００４７】
主軸１６を回転させると、突起部７０の傾斜部材６８の傾斜面６９により、突起部７０と抵抗円板６５の間の米が抵抗円板６５の孔６６から外部へ排出される。このようにすれば、止め金具６４と抵抗円板６５の間に存在する米、特に、精米する際に最初に投入され、搗精室３７で精米されずに止め金具６４と抵抗円板６５の間に到達した玄米を容易に排出することができる。
【手続補正３】
【補正対象書類名】明細書
【補正対象項目名】００６６
【補正方法】変更
【補正の内容】
【００６６】
１０  精米機
１１  ハウジング
１２  軸受
１３  送穀室
１４  フランジ部
１５  軸受
１６  主軸
１７  回米体
１８，６６  孔
２０  噴風空気入口
２１  導風部
２３  主軸プーリー
２４  モータ（駆動体）
２５  モータプーリー
２６  Ｖベルト
２８  玄米ホッパ
２９  投入口
３０  玄米供給路
３１  穀粒供給シャッター
３３  送米スクリュー
３５  孔
３７  搗精室
３８  搗精筒
３９  除糠孔
４０  抵抗板
４２  突起
４３  噴風孔
４４  網（落下防止部材）
４６  止め部
４８,６４  止め金具（先端部材）
４９  螺旋状曲線部
５１  排出口
５３  エアーシリンダ
５４  支持部材
５５,６３  押さえ部材
５６,６５  抵抗円板
５８  取出ホッパ
５９  取出口
６１  糠排出路
６２  糠ホッパ
６７  基端
６８  傾斜部材
６９  傾斜面
７０  突起部
【手続補正４】
【補正対象書類名】図面
【補正対象項目名】図８
【補正方法】変更
【補正の内容】
【図８】
2010162473.tif 000001
【手続補正書】
【提出日】平成23年12月16日(2011.12.16)
【手続補正１】
【補正対象書類名】明細書
【補正対象項目名】００６９
【補正方法】変更
【補正の内容】
【００６９】
一方、印刷用インキを利用して図３に示す装置においてチャックの雄雌鈎爪へのシリコーンの塗布面積を拡大鏡を用いた目視により測定するとチャック１ｍあたり１４０ｃｍ２であった。
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
始動条件の成立にもとづいて、各々を識別可能な複数種類の識別情報の可変表示を行う可変表示手段を備え、該可変表示手段に表示結果を導出することで遊技の結果を確定し、遊技の結果が特定遊技結果となったときに遊技者にとって有利な特定遊技状態に制御する遊技機であって、
前記識別情報の可変表示を行う遊技状態として、所定遊技状態と、該所定遊技状態と始動条件の成立状況が共通する遊技状態であって、前記所定遊技状態よりも前記特定遊技状態に制御され易い有利遊技状態と、を含む複数の遊技状態のうちの１の遊技状態に制御する遊技状態制御手段と、
前記識別情報の可変表示を行う演出モードとして、遊技状態が前記有利遊技状態のときに制御される特定演出モードと、該特定演出モードよりも遊技状態が前記有利遊技状態のときに制御され易い有利演出モードと、を含む複数の演出モードのうちの１の演出モードに制御する手段であって、少なくとも特定の移行条件が成立したことに基づいて前記特定演出モードに制御する演出モード制御手段と、
前記特定演出モードに制御された後の識別情報の可変表示の実行回数を計数する実行回数計数手段と、
前記演出モード制御手段により前記特定演出モードに制御されているときに、前記演出モード制御手段により前記有利演出モードに制御されることを示唆する示唆演出を複数種類の中から選択する示唆演出選択手段と、
前記識別情報の可変表示中に、該示唆演出選択手段により選択された前記示唆演出を実行する示唆演出実行手段と、を備え、
複数種類の前記示唆演出は、該示唆演出実行手段により実行された後に前記演出モード制御手段が前記有利演出モードに制御する確率が高い高確率示唆演出と、前記有利演出モードに制御する確率が前記高確率示唆演出よりも低い低確率示唆演出と、を含み、
前記示唆演出選択手段は、前記実行回数計数手段が計数する実行回数が所定回数未満のときは該所定回数以上のときよりも高い割合で前記高確率示唆演出を選択する
ことを特徴とする遊技機。
【手続補正２】
【補正対象書類名】明細書
【補正対象項目名】００１０
【補正方法】変更
【補正の内容】
【００１０】
本発明による遊技機は、始動条件の成立（例えば、第１始動入賞口１３または第２始動入賞口１４に遊技球が入賞したこと）にもとづいて、各々を識別可能な複数種類の識別情報（例えば、特別図柄）の可変表示を行う可変表示手段（例えば、特別図柄表示器８ａ，８ｂ）を備え、該可変表示手段に表示結果（例えば停止図柄）を導出することで遊技の結果（例えば、はずれ、大当り等）を確定し、遊技の結果が特定遊技結果（例えば大当り）となったときに遊技者にとって有利な特定遊技状態（例えば、大当り遊技状態）に制御する遊技機であって、識別情報の可変表示を行う遊技状態として、所定遊技状態（例えば通常状態）と、該所定遊技状態と始動条件の成立状況が共通する遊技状態であって、所定遊技状態よりも特定遊技状態に制御され易い有利遊技状態（例えば確変状態）と、を含む複数の遊技状態のうちの１の遊技状態に制御する遊技状態制御手段（例えば、遊技制御用マイクロコンピュータ５６０におけるステップＳ１４５，Ｓ１７１Ａ，Ｓ１７１Ｂ，Ｓ１７２Ａを実行する部分）と、識別情報の可変表示を行う演出モードとして、遊技状態が有利遊技状態のときに制御される特定演出モード（例えば潜伏モード）と、該特定演出モードよりも遊技状態が有利遊技状態のときに制御され易い有利演出モード（例えば高期待度モード）と、を含む複数の演出モードのうちの１の演出モードに制御する手段であって、少なくとも特定の移行条件が成立した（例えば、突然確変大当り（時短なし）や小当りが発生した）ことに基づいて特定演出モードに制御する演出モード制御手段（例えば、演出制御用マイクロコンピュータ１００におけるステップＳ６１８Ｂ，Ｓ６３６，Ｓ８２８を実行する部分）と、特定演出モードに制御された後の識別情報の可変表示の実行回数（例えば変動回数）を計数する実行回数計数手段（例えば、演出制御用マイクロコンピュータ１００におけるステップＳ８１３を実行する部分）と、演出モード制御手段により特定演出モードに制御されているときに、演出モード制御手段により有利演出モードに制御されることを示唆する示唆演出（例えば各移行抽選演出）を複数種類の中から選択する示唆演出選択手段（例えば、演出制御用マイクロコンピュータ１００におけるステップＳ８２６，Ｓ８２７を実行する部分）と、識別情報の可変表示中に、該示唆演出選択手段により選択された示唆演出を実行する示唆演出実行手段（例えば、演出制御用マイクロコンピュータ１００におけるステップＳ１８４５を実行する部分）と、を備え、複数種類の示唆演出は、該示唆演出実行手段により実行された後に演出モード制御手段が有利演出モードに制御する確率が高い高確率示唆演出（例えば、フェードアウト時に背景色が赤になる強演出）と、有利演出モードに制御する確率が高確率示唆演出よりも低い低確率示唆演出（例えば、フェードアウト時に背景色が白になる弱演出）と、を含み、示唆演出選択手段は、実行回数計数手段が計数する実行回数が所定回数（例えば３０回）未満のときは該所定回数以上のときよりも高い割合で高確率示唆演出を選択する（例えば、ステップＳ８２７において変動回数が３０回以上のときよりも３０回未満のときに強演出を実行する割合が高くなるようにフェードアウト時背景色選択テーブルに判定値を割り振る：図４３参照）ことを特徴とする。そのような構成によれば、特定演出モードに制御された後の可変表示の実行回数が所定回数以上になれば、有利演出モードに制御される確率が高い高確率示唆演出が低い割合で実行されることになるため、有利遊技状態に制御されている可能性が低いとの遊技者の体感（認識）と、実際の制御（高確率で実行される示唆演出の内容）との間の齟齬をなくすことができ、その結果、遊技の興趣を向上させることができる。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を変動表示させ、表示結果を導出することで遊技の結果を確定する変動表示装置を備え、遊技の結果が特定遊技結果となったときに遊技者にとって有利な特定遊技状態に制御する遊技機であって、
前記始動条件が成立したときに、前記変動表示装置での変動表示を行う権利を記憶する保留記憶手段と、
前記保留記憶手段に記憶された１の権利により行う変動表示において特定遊技結果とするか否かを、該１の権利による表示結果を導出するよりも前に決定する特定決定手段と、
前記識別情報の変動表示を行う遊技状態として、所定遊技状態と、該所定遊技状態と前記始動条件の成立状況が共通する遊技状態であって該所定遊技状態よりも前記特定遊技状態に制御されやすい特別遊技状態と、を含む複数種類の遊技状態のうちの何れかの遊技状態に制御する遊技状態制御手段と、
前記変動表示装置において識別情報を変動表示させ、前記特定決定手段の決定結果に応じた表示結果を前記変動表示装置に導出させる変動表示演出を含む演出の実行を制御する演出制御手段と、
前記変動表示装置において実行される演出のモードを、遊技状態が前記所定遊技状態と前記特別遊技状態の何れに制御されているかが特定不能であるとともに該特別遊技状態に制御されていることの期待度が通常モードよりも高い特別モードを含む複数種類のモードのうちの何れかに制御する手段であって、少なくとも特別移行条件が成立したことに基づいて前記特別モードに制御するモード制御手段とを備え、
前記演出制御手段は、前記保留記憶手段に前記１の権利が記憶された後、該１の権利により行われる変動表示が開始されるよりも前に行われる該１の権利とは別に前記保留記憶手段に記憶された権利に基づく先実行変動表示において、前記遊技機に設けられた所定の演出手段を用いて、該１の権利についての先読み予告を実行する先読み予告手段を備え、
前記モード制御手段は、前記先読み予告手段により前記先読み予告が実行されるときに、モードの移行を規制するモード移行規制手段を備える
ことを特徴とする遊技機。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を変動表示させ、表示結果を導出することで遊技の結果を確定する変動表示装置を備え、遊技の結果が特定遊技結果となったときに遊技者にとって有利な特定遊技状態に制御する遊技機であって、
所定の決定条件が成立したときに、前記変動表示において特定遊技結果とするか否かを決定する特定決定手段と、
前記識別情報の変動表示を行う遊技状態として、所定遊技状態と、該所定遊技状態と前記始動条件の成立状況が共通する遊技状態であって該所定遊技状態よりも前記特定遊技状態に制御されやすい特別遊技状態と、を含む複数種類の遊技状態のうちの何れかの遊技状態に制御する遊技状態制御手段と、
前記変動表示装置において識別情報を変動表示させ、前記特定決定手段の決定結果に応じた表示結果を前記変動表示装置に導出させる変動表示演出を含む演出の実行を制御する演出制御手段と、
前記変動表示装置において実行される演出のモードを、遊技状態が前記所定遊技状態と前記特別遊技状態の何れに制御されているかが特定不能であるとともに該特別遊技状態に制御されていることの期待度が通常モードよりも高い特別モードを含む複数種類のモードのうちの何れかに制御する手段であって、少なくとも特別移行条件が成立したことに基づいて前記特別モードに制御するモード制御手段とを備え、
前記モード制御手段は、
前記特別モードに制御されているときにおいて予め定められた転落条件が成立したときに、前記通常モードにモードを制御する転落制御手段と、
前記転落制御手段により前記通常モードに制御された後に前記特別移行条件とは異なる予め定められた昇格条件が成立したときに、前記特別モードにモードを制御する昇格制御手段とを備え、
前記通常モードは、所定の確率で前記昇格条件が成立する第１通常モードと、該第１通常モードよりも低い確率で前記昇格条件が成立する、または該昇格条件が成立し得ない第２通常モードとを含み、
前記演出制御手段は、前記特定決定手段の決定結果に基づいて前記特定遊技結果となる表示結果が導出される可能性があることを報知する予告演出を、複数種類の予告演出態様のうちから選択された予告演出態様で実行する予告演出実行手段を備え、
前記予告演出実行手段は、前記通常モードに制御されているときに、前記第１通常モードに制御されているか前記第２通常モードに制御されているかに応じて異なる選択割合で、前記複数種類の予告演出態様のうちから実行すべき予告演出の予告演出態様を選択する
ことを特徴とする遊技機。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を変動表示させ、表示結果を導出することで遊技の結果を確定する変動表示装置を備え、遊技の結果が特定遊技結果となったときに遊技者にとって有利な特定遊技状態に制御する遊技機であって、
所定の決定条件が成立したときに、前記変動表示において特定遊技結果とするか否かを決定する特定決定手段と、
前記識別情報の変動表示を行う遊技状態として、所定遊技状態と、該所定遊技状態と前記始動条件の成立状況が共通する遊技状態であって該所定遊技状態よりも前記特定遊技状態に制御されやすい特別遊技状態と、を含む複数種類の遊技状態のうちの何れかの遊技状態に制御する遊技状態制御手段と、
前記変動表示装置において識別情報を変動表示させ、前記特定決定手段の決定結果に応じた表示結果を前記変動表示装置に導出させる変動表示演出を含む演出の実行を制御する演出制御手段と、
前記変動表示装置において実行される演出のモードを、遊技状態が前記所定遊技状態と前記特別遊技状態の何れに制御されているかが特定不能であるとともに該特別遊技状態に制御されていることの期待度が通常モードよりも高い特別モードを含む複数種類のモードのうちの何れかに制御する手段であって、少なくとも特別移行条件が成立したことに基づいて前記特別モードに制御するモード制御手段とを備え、
前記特定決定手段は、前記特定遊技結果として、第１特定遊技結果と、該第１特定遊技結果よりも遊技者にとって有利な第２特定遊技結果との何れとするかを決定し、
前記演出制御手段は、
前記特定決定手段により前記変動表示において特定遊技結果とする旨が決定されているときに、前記変動表示の表示結果として第１特定表示結果と第２特定表示結果の何れかを導出させる手段であって、前記第２特定遊技結果とする旨が決定されていることを条件に前記第２特定表示結果を導出させる特定表示結果導出手段と、
前記特定決定手段により前記変動表示において特定遊技結果とする旨が決定されていないときに、前記変動表示の表示結果が導出されるよりも前の表示態様として前記第１特定表示結果または前記第２特定表示結果の一部を構成するリーチ表示態様を出現させるリーチ表示手段とを備え、
前記特別モードに制御されているときにおいて前記リーチ表示手段によりリーチ表示態様が出現させられる場合のうちで前記第２特定表示結果の一部を構成するリーチ表示態様が出現させられる割合は、前記特別遊技状態に制御されているときには前記所定遊技状態に制御されているときに比べて高い
ことを特徴とする遊技機。
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
始動条件の成立にもとづいて、各々を識別可能な複数種類の識別情報の可変表示を行う可変表示手段を備え、前記可変表示手段に表示結果を導出することで遊技の結果を確定し、遊技の結果が特定遊技結果となったときに遊技者にとって有利な特定遊技状態に移行させる遊技機であって、
前記始動条件の成立にもとづいて、前記識別情報の可変表示を行う権利を記憶する保留記憶手段と、
前記権利にもとづいて前記識別情報の可変表示の実行を開始するときに、前記遊技の結果を特定遊技結果とするか否かを決定する事前決定手段と、
事前決定手段の決定結果にもとづいて、識別情報の可変表示パターンを、複数種類の可変表示パターンのうちから決定する可変表示パターン決定手段と、
前記可変表示パターン決定手段が決定した可変表示パターンを用いて識別情報の可変表示を実行し表示結果を導出する可変表示制御手段と、を備え、
前記可変表示パターン決定手段は、識別情報の可変表示パターンとして、特定の可変表示態様による識別情報の可変表示を実行するための特定態様用可変表示パターンを決定可能であり、
前記遊技機は、さらに、
前記始動条件が成立したときに、前記保留記憶手段に記憶される権利により行われる前記識別情報の可変表示による遊技の結果が前記特定遊技結果となるか否かを判定する始動条件成立時判定手段と、
前記保留記憶手段に１の権利が記憶された後、前記保留記憶手段に記憶された１の権利により行われる可変表示が開始されるまでに、該１の権利についての前記始動条件成立時判定手段の判定結果にもとづいて、複数の可変表示にわたって連続して該１の権利による遊技の結果が特定遊技結果となることを示唆する特殊表示結果を識別情報の可変表示の表示結果として導出させることによって該１の権利についての先読み予告を実行する予告演出制御手段と、
前記特定態様用可変表示パターンを用いて、前記特定の可変表示態様による識別情報の可変表示を実行する特定可変表示実行手段と、を備え、
前記特定可変表示実行手段は、前記予告演出制御手段による前記先読み予告の実行中に、前記可変表示パターン決定手段によって前記特定態様用可変表示パターンが決定されたときには、前記特定の可変表示態様による識別情報の可変表示を実行して、識別情報の可変表示の表示結果として特定態様時特殊表示結果を導出する
ことを特徴とする遊技機。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
フッ素樹脂と耐熱性繊維織布からなる少なくとも１層の複合材層とシリコーンゴムからなる表面層とを有する複層シートであって、前記表面層が、前記複合材層に対してなされた表面活性化処理により形成された処理面を介して形成されていることを特徴とする、複層シート。
【請求項２】
前記の表面活性化処理が、無機粒子付着焼成処理、金属ナトリウムエッチング処理、プラズマ放電処理またはコロナ放電処理である、請求項１に記載の複層シート。
【請求項３】
請求項１に記載の複層シートから形成されたベルト状物の環状体からなることを特徴とする、エンドレスベルト。
【請求項４】
請求項１に記載の複層シートをベルト状に裁断し、この複層シートのベルト状物の対向する二つ端部を接合して環状体を得ることを特徴とする、エンドレスベルトの製造方法。
【請求項５】
請求項１に記載の複層シートと他のシートとが積層されたベルト状物を、このベルト状物の前記複層シートについての対向する二つ端部およびこのベルト状物の前記他のシートについての対向する二つ端部をそれぞれ接合ないし近接配置させて環状体を得ることを特徴とする、エンドレスベルトの製造方法。